(57)【要約】【課題】  小ねじ等の別部材を用いることなく、杆体の長手方向中途から該杆体に弁及びノズル等の液噴出部材を簡易に取着することができるようにする。【解決手段】  長手方向に液通路３０を有し、該液通路３０に開口する複数の分岐孔３１を有する元杆３と、分岐孔３１に連通する液通路を有し、元杆３に取着される複数の弁５及び該弁５に取着されたノズル６とを備え、元杆３は長手方向に沿う係止条部３２，３２を分岐孔３１の径方向両側に設けており、弁５は係止条部３２，３２の長手方向中途から係止条部３２，３２に嵌入され、且つ係止条部３２，３２に沿う溝５１ｆ，５１ｆを有する二つの係止突起５１ｂ，５１ｂを設けており、該二つの係止突起５１ｂ，５１ｂを係止条部３２，３２に嵌入係止することにより弁５を元杆３の長手方向中途から該元杆３に取着することができるようにした。【選択図】      図３
2006314975.tif 000002
【特許請求の範囲】
【請求項１】
長手方向に液通路を有し、且つ該液通路に開口する複数の分岐孔を有する杆体と、前記分岐孔に連通する液噴出口を有し、前記杆体に取着される複数の液噴出部材とを備える液散布装置において、前記杆体は長手方向に沿う係止条部を有しており、前記液噴出部材は前記係止条部の長手方向中途から該係止条部に嵌合して係止することを可能とした係止突起を有することを特徴とする液散布装置。
【請求項２】
前記係止突起は、前記係止条部に沿う溝を有しており、該溝に嵌入され、前記係止突起を前記係止条部に固定する嵌入部材を備える請求項１記載の液散布装置。
【請求項３】
長手方向に液通路を有し、且つ該液通路に開口する複数の分岐孔を有する杆体と、前記分岐孔に連通する液噴出口を有し、前記杆体に取着される複数の液噴出部材とを備える液散布装置において、前記杆体は長手方向に沿う係止条部を前記分岐孔の径方向両側に有しており、前記液噴出部材は前記係止条部の夫々の長手方向中途から夫々の係止条部に嵌入され、且つ前記係止条部に沿う溝を有する二つの係止突起を備えており、該二つの係止突起の前記溝に、前記二つの係止突起を前記係止条部に固定する嵌入部材を備えることを特徴とする液散布装置。
【発明の詳細な説明】
【技術分野】
【０００１】
本発明はノズル、弁等の複数の液噴出部材を杆体に取着してなる液散布装置に関する。
【背景技術】
【０００２】
圃場に液剤を散布する液散布装置としてブームスプレーヤが知られている。このブームスプレーヤは、並置された複数のノズル及び回転により夫々のノズルの液通路を開閉する弁を有する元杆と、並置された複数のノズル及び前記弁の夫々を開位置／閉位置に回転させるべき移動体を有し、元杆の長手方向へ摺動が可能な先杆とを備えており、該先杆が元杆の長手方向先方へ摺動された場合、先杆及び元杆のノズルから液を噴霧し、また、先杆が元杆の長手方向元方へ摺動された場合、先杆に設けられた移動体が元杆の夫々の弁を閉位置へ回転させ、元杆のノズルから液を噴霧しないように構成されている（例えば、特許文献１参照。）。
【０００３】
また、特許文献１は、元杆及び先杆の夫々の分岐孔の両側に二つのねじ孔が設けられており、元杆の二つのねじ孔に螺着される二つの小ねじにより弁が元杆に取着され、先杆の二つのねじ孔に螺着される二つの小ねじによりノズルが先杆に取着されている。
【特許文献１】特開２００１−２８６８０１号公報
【発明の開示】
【発明が解決しようとする課題】
【０００４】
ところが、特許文献１のブームスプレーヤは、元杆及び先杆に取着されるノズルの個数の二倍のねじ孔及び小ねじが必要であるため、弁及びノズルの取着作業性が悪く、また、元杆及び先杆の加工性が悪く、コスト高になると言う問題があった。
【０００５】
本発明は上述のような事情に鑑みてなされたものであり、主たる目的は液通路及び該液通路に開口する複数の分岐孔を有する杆体に、該杆体の長手方向に沿う係止条部を設け、杆体の分岐孔部分に取着する液噴出部材に、前記係止条部の長手方向中途から該係止条部に嵌合して係止することを可能とした係止突起を設けることにより、液噴出部材を杆体の長手方向中途から該杆体に取着することができ、液噴出部材の取着作業性を向上することができる液散布装置を提供することにある。
【０００６】
また、他の目的は係止突起に溝を設け、該溝に嵌入部材を嵌入することにより液噴出部材に他物が当接した場合においても液噴出部材の取着状態を維持することができる液散布装置を提供することにある。
【０００７】
また、他の目的は液通路及び該液通路に開口する複数の分岐孔を有する杆体に、該杆体の長手方向に沿う二つの係止条部を設け、杆体の分岐孔部分に取着する液噴出部材に、前記二つの係止条部の長手方向中途から該係止条部に嵌合して係止することを可能とし、且つ溝を有する二つの係止突起を設け、前記溝に嵌入部材を嵌入することにより、液噴出部材の取着作業性を向上でき、液噴出部材の取着強度を高めることができ、さらに、液噴出部材に他物が当接した場合においても液噴出部材の取着状態を維持することができる液散布装置を提供することにある。
【課題を解決するための手段】
【０００８】
第１発明に係る液散布装置は、長手方向に液通路を有し、且つ該液通路に開口する複数の分岐孔を有する杆体と、前記分岐孔に連通する液噴出口を有し、前記杆体に取着される複数の液噴出部材とを備える液散布装置において、前記杆体は長手方向に沿う係止条部を有しており、前記液噴出部材は前記係止条部の長手方向中途から該係止条部に嵌合して係止することを可能とした係止突起を有することを特徴とする。
【０００９】
第１発明にあっては、係止条部の長手方向中途から該係止条部に係止突起を嵌合係止することができるため、弁及びノズル等の液噴出部材を杆体の長手方向中途から該杆体に取着することができ、液噴出部材の取着作業性を向上でき、しかも、係止条部は杆体と一体成形することが可能であるため、杆体の加工性を向上でき、コストを低減することができる。
【００１０】
第２発明に係る液散布装置は、前記係止突起は、前記係止条部に沿う溝を有しており、該溝に嵌入され、前記係止突起を前記係止条部に固定する嵌入部材を備えることを特徴とする。
【００１１】
第２発明にあっては、係止突起は溝を有するため、該溝により係止突起を撓ませつつ係止条部に容易に嵌合係止することができ、しかも、この嵌合係止状態で嵌入部材を溝に嵌入することにより係止突起の撓みを阻止することができるため、液噴出部材に他物が当接した場合においても液噴出部材の取着状態を維持することができる。
【００１２】
第３発明に係る液散布装置は、長手方向に液通路を有し、且つ該液通路に開口する複数の分岐孔を有する杆体と、前記分岐孔に連通する液噴出口を有し、前記杆体に取着される複数の液噴出部材とを備える液散布装置において、前記杆体は長手方向に沿う係止条部を前記分岐孔の径方向両側に有しており、前記液噴出部材は前記係止条部の夫々の長手方向中途から夫々の係止条部に嵌入され、且つ前記係止条部に沿う溝を有する二つの係止突起を備えており、該二つの係止突起の前記溝に、前記二つの係止突起を前記係止条部に固定する嵌入部材を備えることを特徴とする。
【００１３】
第３発明にあっては、二つの係止条部の長手方向中途から該二つの係止条部に係止突起を嵌合係止することができるため、弁及びノズル等の液噴出部材を杆体の長手方向中途から該杆体に取着することができ、液噴出部材の取着作業性を向上でき、しかも、液噴出部材を二つの係止条部に嵌合係止するため、液噴出部材の取着強度を高めることができ、また、液噴出部材に他物が当接した場合においても液噴出部材の取着状態を維持することができる。また、二つの係止条部は杆体と一体成形することが可能であるため、杆体の加工性を向上でき、コストを低減することができる。
【発明の効果】
【００１４】
第１発明によれば、係止条部の長手方向中途から該係止条部に係止突起を嵌合係止することができるため、弁及びノズル等の液噴出部材を杆体の長手方向中途から該杆体に取着することができ、液噴出部材の取着作業性を向上でき、しかも、係止条部は杆体と一体成形することが可能であるため、杆体の加工性を向上でき、コストを低減することができる。
【００１５】
第２発明によれば、溝により係止突起を撓ませつつ係止条部に容易に嵌合係止することができ、しかも、嵌入部材により係止突起の撓みを阻止することができるため、液噴出部材に他物が当接した場合においても液噴出部材の取着状態を維持することができる。
【００１６】
第３発明によれば、二つの係止条部の長手方向中途から該二つの係止条部に係止突起を嵌合係止することができるため、弁及びノズル等の液噴出部材を杆体の長手方向中途から該杆体に取着することができ、液噴出部材の取着作業性を向上でき、しかも、液噴出部材を二つの係止条部に嵌合係止するため、液噴出部材の取着強度を高めることができ、また、液噴出部材に他物が当接した場合においても液噴出部材の取着状態を維持することができる。また、二つの係止条部は杆体と一体成形することが可能であるため、杆体の加工性を向上でき、コストを低減することができる。
【発明を実施するための最良の形態】
【００１７】
以下本発明をその実施の形態を示す図面に基づいて詳述する。
実施の形態１
図１は本発明に係る液散布装置の実施の形態１の構成を示す概略正面図、図２は液散布装置の元杆及び先杆部分を拡大した正面図である。
【００１８】
この液散布装置は、機体１と、該機体１に搭載された液タンク２及び液タンク２内の薬液等の液剤を吸込むポンプと、機体１に元部が枢支された元杆３と、該元杆３に、元杆３の長手方向へ摺動が可能に連結された先杆４とを備える。尚、元杆３及び先杆４が杆体を構成している。
【００１９】
元杆３の元部には電動モータにより駆動される駆動輪２０が設けられ、先部には従動輪２１が設けられ、駆動輪２０及び従動輪２１に掛設されたワイヤ２２の両端が先杆４の元部に取着され、前記電動モータが正駆動されることによりワイヤ２２を介して先杆４を進出移動させ、前記電動モータが逆駆動されることによりワイヤ２２を介して先杆４を後退移動させるように構成されている。
【００２０】
元杆３及び先杆４は、角筒部３ａ，４ａと、該角筒部３ａ，４ａの一側に一体成形された円筒部３ｂ，４ｂと、該円筒部３ｂ，４ｂの径方向一側に突設された断面台形をなす凸条座部３ｃ，４ｃ及び該凸条座部３ｃ，４ｃの両側面と離隔して対向する保護片３ｄ，３ｄ、４ｄ，４ｄとを全長に亘って一体に有しており、換言すれば一体成形されており、元杆３の円筒部３ｂの元側端が前記ポンプの吐出路に接続され、先杆４の元側端はコイル状の可撓ホース２３によりポンプの吐出路に連結されており、夫々の円筒部３ｂ，４ｂ内が液通路３０，４０になっている。
【００２１】
図３及び図４は要部の構成を示す拡大縦断面図、図５及び図６は液噴出部材の構成を示す斜視図、図７は要部の構成を示す斜視図である。元杆３の円筒部３ｂには、長手方向へ離隔した位置で凸条座部３ｃを貫通して液通路３０に開口する複数の分岐孔３１と、凸条座部３ｃの両側面に全長に亘って設けられた二つの係止条部３２，３２とを有しており、夫々の分岐孔３１部分に液噴出部材としての弁５が取着され、該弁５の液噴出口部にノズル６が取着されている。
【００２２】
先杆４の円筒部４ｂには、長手方向へ離隔した位置で凸条座部４ｃを貫通して液通路４０に開口する複数の分岐孔４１と、凸条座部４ｃの両側面に全長に亘って設けられた二つの係止条部４２，４２とを有しており、夫々の分岐孔４１部分に液噴出部材としてのノズル７が取着されている。また、先杆４の元部には先杆４の長手方向と交差する方向であり、且つ元杆３に向けて延出され、円柱形をなすピンを用いてなる一つの移動体８が設けられている。
【００２３】
この移動体８は先杆４が元杆３に対して長手方向へ摺動することにより、元杆３の長手方向へ直線移動するように構成されている。
【００２４】
弁５は円筒部３ｂの分岐孔３１に嵌入される嵌入筒部５１ａ及び該嵌入筒部５１ａの径方向両側に離隔して突設され、係止条部３２，３２に嵌入して係止される二つの係止突起５１ｂ，５１ｂを有する弁箱５１と、該弁箱５１内に回転自在に保持され、回転により弁箱５１内の液通路５１ｃを開閉する弁体５２とを備えており、弁箱５１に継部材によりノズル６が取着されている。尚、弁箱５１のノズル取着部に、ノズルに連通する液噴出口が設けられている。
【００２５】
弁箱５１は嵌入筒部５１ａを貫通して液通路３０に連通する液通路５１ｃを有しており、嵌入筒部５１ａ及び係止突起５１ｂ，５１ｂが一体に成形されている。この係止突起５１ｂ，５１ｂは凸条座部３ｃの両側面及び保護片３ｄ，３ｄ間の条形凹所３ｅに嵌入される板形をなしており、係止突起５１ｂ，５１ｂの先端部一側に、係止条部３２，３２に嵌入して係止される係合部５１ｄ，５１ｄ及び係止突起５１ｂ，５１ｂの高さ方向に対して傾斜する案内面５１ｅ，５１ｅが設けられており、また、係止突起５１ｂ，５１ｂの先端に、長手方向に沿う溝５１ｆ，５１ｆが設けられている。
【００２６】
この溝５１ｆ，５１ｆは係止突起５１ｂ，５１ｂの撓みを可能とし、係止突起５１ｂ，５１ｂを撓ませつつ係合部５１ｄ，５１ｄを係止条部３２，３２に嵌入係止することができるようになっている。溝５１ｆ，５１ｆの中途には嵌入保持部５１ｇ，５１ｇが設けられており、該嵌入保持部５１ｇ，５１ｇに、係止突起５１ｂ，５１ｂの撓みを阻止する嵌入部材９が抜き出し可能に嵌入されている。また、嵌入筒部５１ａの周面にはシール環５３が保持されている。
【００２７】
ノズル７は円筒部４ｂの分岐孔４１に嵌入される嵌入筒部７１ａ及び該嵌入筒部７１ａの径方向両側に離隔して突設され、係止条部４２，４２に嵌入して係止される二つの係止突起７１ｂ，７１ｂを有するノズル本体７１と、該ノズル本体７１に取着され、液噴出口を有するノズルチップ７２とを備える。
【００２８】
ノズル本体７１は嵌入筒部７１ａを貫通して液通路４０に連通する液通路７１ｃを有しており、嵌入筒部７１ａ及び係止突起７１ｂ，７１ｂが一体に成形されている。この係止突起７１ｂ，７１ｂは凸条座部４ｃの両側面及び保護片４ｄ，４ｄ間の条形凹所４ｅ，４ｅに嵌入される板形をなしており、係止突起７１ｂ，７１ｂの先端部一側に、係止条部４２，４２に嵌入して係止される係合部７１ｄ，７１ｄ及び係止突起７１ｂ，７１ｂの高さ方向に対して傾斜する案内面７１ｅ，７１ｅが設けられており、また、係止突起７１ｂ，７１ｂの先端に、長手方向に沿う溝７１ｆ，７１ｆが設けられている。
【００２９】
この溝７１ｆ，７１ｆは係止突起７１ｂ，７１ｂの撓みを可能とし、係止突起７１ｂ，７１ｂを撓ませつつ係合部７１ｄ，７１ｄを係止条部４２，４２に嵌入係止することができるようになっている。溝７１ｆ，７１ｆの中途には嵌入保持部７１ｇ，７１ｇが設けられており、該嵌入保持部７１ｇ，７１ｇに、係止突起７１ｂ，７１ｂの撓みを阻止する嵌入部材１０が抜き出し可能に嵌入されている。また、嵌入筒部７１ａの周面にはシール環７３が保持されている。
【００３０】
嵌入部材９，１０は、夫々の一端が連結部９ｂ，１０ｂにより連結された二つのピン９ａ，９ａ、１０ａ，１０ａからなり、連結部９ｂ，１０ｂを把持して嵌入及び抜き出し操作を行うことができるようになっている。連結部９ｂ，１０ｂはピン９ａ，９ａ、１０ａ，１０ａの長手方向と交差する方向へ略Ｕ字形に湾曲しており、凸条座部３ｃ，４ｃと干渉しないようにしてある。また、嵌入部材９，１０が嵌入保持部５１ｇ，５１ｇ、７１ｇ，７１ｇに嵌入されたとき、連結部９ｂ，１０ｂに当接する位置決め部５１ｈ，７１ｈが弁箱５１及びノズル本体７１に設けられている。
【００３１】
また、弁体５２の端部で回転中心部Ｏにレバー体１１が嵌入固定されている。レバー体１１は略三角形をなしており、先杆４が元杆３の長手方向先側へ進出摺動されるとき移動体８が一方のレバー部１１ａに当接して弁体５２を開動作させ、先杆４が元杆３の長手方向元側へ後退摺動されるとき移動体８が他方のレバー部１１ｂに当接して弁体５２を閉動作させるように構成されている。
【００３２】
以上のように構成された液散布装置において、ノズル６が取着される弁５を元杆３に取着する場合、弁５の係止突起５１ｂ，５１ｂを元杆３の長手方向と直交する側から元杆３の条形凹所３ｅに嵌入する。このとき係止突起５１ｂ，５１ｂが溝５１ｆ，５１ｆによって撓むため、係止突起５１ｂ，５１ｂを条形凹所３ｅに嵌入することができ、この嵌入により係合部５１ｄ，５１ｄを係止条部３２，３２に係止することができ、弁５を元杆３に取着することができる。この後、さらに嵌入部材９を係止突起５１ｂ，５１ｂの嵌入保持部５１ｇ，５１ｇに嵌入することにより係止突起５１ｂ，５１ｂの撓みを阻止することができる。従って、ノズル６又は弁５に他物が当接した場合においても弁５の取着状態を維持することができる。
【００３３】
また、ノズル７を先杆４に取着する場合、ノズル７の係止突起７１ｂ，７１ｂを先杆４の長手方向と直交する側から先杆４の条形凹所４ｅに嵌入する。このとき係止突起７１ｂ，７１ｂが溝７１ｆ，７１ｆによって撓むため、係止突起７１ｂ，７１ｂを条形凹所４ｅに嵌入することができ、この嵌入により係合部７１ｄ，７１ｄを係止条部４２，４２に係止することができ、ノズル７を先杆４に取着することができる。この後、さらに嵌入部材１０を係止突起７１ｂ，７１ｂの嵌入保持部７１ｇ，７１ｇに嵌入することにより係止突起７１ｂ，７１ｂの撓みを阻止することができる。従って、ノズル７に他物が当接した場合においてもノズル７の取着状態を維持することができる。
【００３４】
また、元杆３及び先杆４は、保護片３ｄ，３ｄ、４ｄ，４ｄが係止突起５１ｂ，５１ｂ、７１ｂ，７１ｂを保護しているため、他物と衝突した場合等、外力による係止突起５１ｂ，５１ｂ、７１ｂ，７１ｂの破損を防ぐことができ、耐久性を向上できる。
【００３５】
また、以上のように構成された液散布装置は、圃場に液剤を散布する散布領域が比較的広い場合、先杆４が元杆３の長手方向先側へ進出され、元杆３及び先杆４の夫々のノズル６，７の液噴出口から液剤が噴出される。また、圃場に液剤を散布する散布領域が比較的狭い場合、先杆４が元杆３の長手方向元側へ後退され、移動体８及びレバー体１１により元杆３の弁５が閉じられ、先杆４のノズル７の液噴出口から液剤が噴霧される。
【００３６】
実施の形態２
図８は液散布装置の実施の形態２の要部の構成を示す断面図である。この液散布装置は、実施の形態１のように凸条座部３ｃの側面に係止条部３２を設ける代わりに、凸条座部３ｃと保護片３ｄとの間の条形凹所３ｅ，３ｅに、係止条部３３ａ，３３ａを有する板状突起３３，３３を一体に設け、係止条部３３ａ，３３ａに係合する係合部５１ｊ，５１ｊを有する係止突起５１ｂ，５１ｂを弁箱５１に設けたものである。尚、ノズル７においても同様に構成する。
【００３７】
実施の形態２において、係止条部３３ａ，３３ａは板状突起３３，３３の先端部両側に設けられている。係止突起５１ｂ，５１ｂは溝５１ｆ，５１ｆ内に、係止条部３３ａ，３３ａに係止される係合部５１ｊ，５１ｊが設けられている。
【００３８】
実施の形態２にあっては、弁５の係止突起５１ｂ，５１ｂを元杆３の長手方向と直交する側から元杆３の条形凹所３ｅ，３ｅに嵌入することにより、係合部５１ｊ，５１ｊを係止条部３３ａ，３３ａに係止することができ、弁５を元杆３に取着することができる。また、ノズル７においても同様に先杆４に取着することができる。
その他の構成及び作用は実施の形態１と同様であるため、同様の部品については同じ符号を付し、その詳細な説明及び作用効果の説明を省略する。
【００３９】
尚、実施の形態１のように元杆３、先杆４が保護片３ｄ，４ｄを有する場合、該保護片３ｄ，４ｄの内側に係止条部３２，４２を設け、該係止条部３２，４２に係止される係合部５１ｄ，７１ｄを係止突起５１ｂ，７１ｂの外側に設けてもよい。しかし、弁５及びノズル７の嵌入筒部５１ａ，７１ａには液通路３０，４０内の液圧が元杆３、先杆４と離隔する方向へ加わり、該液圧により前記係止部分に引張力が加わるため、実施の形態１のように嵌入筒部５１ａ，７１ａに近い位置に係止条部３２，４２を設けるのが好ましい。
また、液噴出部材は、ノズル７、又は、弁５を有するノズル６である他、ノズルが接続されるノズル接続部に、ノズルに連通する液噴出口を有する弁であってもよい。この弁である場合、ノズル接続部にノズルが取着される。
【００４０】
また、本発明に係る液散布装置は、元杆３の先側に一つの先杆４を備える構成である他、元杆３の先側に複数の先杆４を備える構成としてもよいし、また、元杆３からなる杆体を備える構成としてもよい。
【図面の簡単な説明】
【００４１】
【図１】本発明に係る液散布装置の実施の形態１の構成を示す概略正面図である。
【図２】本発明に係る液散布装置の元杆及び先杆部分を拡大した正面図である。
【図３】本発明に係る液散布装置の要部の構成を示す拡大縦断面図である。
【図４】本発明に係る液散布装置の要部の構成を示す拡大縦断面図である。
【図５】本発明に係る液散布装置の液噴出部材の構成を示す斜視図である。
【図６】本発明に係る液散布装置の液噴出部材の構成を示す斜視図である。
【図７】本発明に係る液散布装置の要部の構成を示す斜視図である。
【図８】本発明に係る液散布装置の実施の形態２の要部の構成を示す断面図である。
【符号の説明】
【００４２】
３    元杆（杆体）
４    先杆（杆体）
５    弁（液噴出部材）
３０    液通路
６，７  ノズル
９，１０  嵌入部材
３２，４２  係止条部
５１ｂ，７１ｂ  係止突起
５１ｆ，７１ｆ  溝
【図１】
2006314975.tif 000003
【図２】
2006314975.tif 000004
【図３】
2006314975.tif 000005
【図４】
2006314975.tif 000006
【図５】
2006314975.tif 000007
【図６】
2006314975.tif 000008
【図７】
2006314975.tif 000009
【図８】
2006314975.tif 000010